(57)【要約】【課題】  産業廃棄物を利用するという環境問題に考慮しながら、簡単に成形加工可能で、軽量ではあっても適度な重量を持たせた安価な敷石即ち敷石用化粧ブロックを提供する。【解決手段】  産業廃棄物としてのポリエチレンとポリプロピレンに略５０％もしくはそれ以上の無機物を加えたものを材料とし、熔融混練りして型枠成型加工するものであって、平板状の表面部２と該表面部２の上下端縁から垂下した横壁３，３そして左右端縁から垂下した縦壁４，４とが連続した状態で成形され、更に表面部２と横壁３，３そして縦壁４，４で形成された箱状内部には、上下方向略中央部に横補強リブ５が、左右方向には複数の縦補強リブ６が略均等間隔で前記表面部２、横壁３，３そして縦壁４，４と一体的に成形され、且つ表面部２と横壁３，３及び縦壁４、４或いは横補強リブ５そして縦補強リブ６等によって複数の空洞部７を形成する。【選択図】          図１
2005068971.tif 000002
【特許請求の範囲】
【請求項１】
産業廃棄物としてのポリエチレンとポリプロピレンに略５０％もしくはそれ以上の無機物を加えたものを材料とし、熔融混練りして型枠成型加工するものであって、平板状の表面部と該表面部の上下端縁から垂下した横壁そして左右端縁から垂下した縦壁とが連続した状態で成形され、更に表面部と横壁そして縦壁で形成された箱状内部には、上下方向略中央部に横補強リブが、左右方向には複数の縦補強リブが略均等間隔で前記表面部、横壁そして縦壁と一体的に成形され、且つ表面部と横壁及び縦壁或いは横補強リブそして縦補強リブ等によって複数の空洞部を形成したことを特徴とする敷石用化粧ブロック。
【請求項２】
産業廃棄物としてのポリエチレンとポリプロピレンに略５０％もしくはそれ以上の無機物を加えたものを材料とし、熔融混練りして型枠成型加工するものであって、平板状の表面部と該表面部の上下端縁から垂下した横壁そして左右端縁から垂下した縦壁とが連続した状態で成形され、更に表面部と横壁そして縦壁で形成された箱状内部には、上下方向略中央部に横補強リブが、左右方向には複数の縦補強リブが略均等間隔で前記表面部、横壁そして縦壁と一休的に成形され、且つ表面部と横壁及び縦壁或いは横補強リブそして縦補強リブ等によって複数の空洞部を形成したブロック本体に底板を取り付け固定したことを特徴とする敷石用化粧ブロック。
【請求項３】
空洞部に蓄熱材を封入したことを特徴とする請求項２記載の敷石用化粧ブロック。
【請求項４】
表面部であって空洞部の略中央部に相当する部分に比較的大きな孔を貫設したことを特徴とする請求項１記載の敷石用化粧ブロック。
【請求項５】
表面部であって、空洞部に相当する部分に孔を貫設して前記空洞部に砂或いは保水材等の充填材を入れ、複数の小孔を貫設した底板でもって封入したことを特徴とする請求項２記載の敷石用化粧ブロック。
【請求項６】
表面部に比較的小さい孔を数多く貫設したことを特徴とする請求項１〜請求項３及び請求項５記載の敷石用化粧ブロック。
【請求項７】
横壁と縦壁が交わる４隅の表面部とは反対側の端部に突状部を設けたことを特徴とする請求項１記載の敷石用化粧ブロック。
【発明の詳細な説明】
【技術分野】
【０００１】  本発明は、一般住宅の庭や歩廊或いは公園や庭園更には建築物の屋上等に敷設される敷石用化粧ブロックに関するものである。
【背景技術】
【０００２】  従来より、各種の敷石が使用されている。例えば自然石を利用したものから、コンクリートを基材として所定の形状に加工したものまで、その種類は数限りないといっても過言ではなく、その上更なる改良開発も行なわれている。その中で、環境上大きな問題となっており、処理が憂慮されている廃棄物を敷石等に利用したものがある。（特許文献１参照）【０００３】  以下、図１１により従来技術に於ける敷石の主要部分について説明する。敷石６０は家庭用ゴミ、都市ゴミ、産業廃棄物等に含まれる廃プラスチックや容器包装材料、及び電化製品、自動車等の解体の過程で発生する廃プラスチックを過熱熔融して所定の形状に成形固化したもので、敷設状態の上下方向には雨水等の透過即ち通水を良好ならしめるため、透水孔６１が設けられている。【０００４】  又、他の従来技術としてコンクリート製の基材の表面部分にゴム素材で緩衝表面層を施層して凍結防止を図ったもの（特許文献２参照）そして敷石を比較的小さい直方体とし且つそれらを一定の間隔を持たせて組み込み連接可能として芝生面内に利用出来るようにしたもの（特許文献３参照）もある。
【特許文献１】特開２００１−３２８１１８
【特許文献２】特開平１１−１０７２０３
【特許文献３】特開２００２−３３９３０２
【発明の開示】
【発明が解決しようとする課題】
【０００５】  上述したように、廃プラスチック即ち産業廃棄物を使用した敷石、更に凍結防止を図ったものや芝生面内に利用出来るものは、既に先行技術として存在している。【０００６】  然しながら、廃プラスチックを使用した敷石に於いては、単に廃プラスチックを過熱熔融して所定の形状に成形固化したものであって、完成品を他の敷石と比較して見た場合、特別に目を引く特徴は見当たらない。勿論廃プラスチックを再生利用するという環境面への貢献は大きく、価格的にもメリットがあると思われるが、単純に敷石としてだけで考えると（使用後固体燃料として使えるといっても）、ただの敷石としか思えない。又凍結防止を図ったものは、基材に緩衝表面層を施層するのに、前記基材の側部に固定用凹部を設け、該固定用凹部を含みゴ厶素材を配置して加熱プレスするという複雑な加工が必要であり、芝生面内に利用出来るものでは敷石を比較的小さい直方体としていることと、それぞれを組み込み連接しなければならないので、敷設が面倒である。【０００７】  本発明は、こうした従来技術の現状に鑑み、産業廃棄物を利用するという環境問題に考慮しながら、簡単に成形加工可能で、軽量ではあっても適度な重量を持たせた安価な敷石即ち敷石用化粧ブロックを提供することを目的としている。更に本発明は、用途に応じて極簡単に改変可能とし、例えば、凍結防止機能を持たせたり、芝生面内に敷設しながら芝生を有効に活用することが出来るようになる敷石用化粧ブロックの提供を目的としている。
【課題を解決するための手段】
【０００８】  上記目的を達成するために、請求項１記載の発明は、産業廃棄物としてのポリエチレンとポリプロピレンに略５０％もしくはそれ以上の無機物を加えたものを材料とし、熔融混練りして型枠成型加工するものであって、平板状の表面部と該表面部の上下端縁から垂下した横壁そして左右端縁から垂下した縦壁とが連続した状態で成形され、更に表面部と横壁そして縦壁で形成された箱状内部には、上下方向略中央部に横補強リブが、左右方向には複数の縦補強リブが略均等間隔で前記表面部、横壁そして縦壁と一体的に成形され、且つ表面部と横壁及び縦壁或いは横補強リブそして縦補強リブ等によって複数の空洞部を形成したものである。この様に構成したことにより、簡単に成形加工することが可能で、材料節減を図りながら軽量ではあっても適度な重量を持たせた敷石即ち敷石用化粧ブロックを安価に提供することが出来る。【０００９】  請求項２記載の発明は、産業廃棄物としてのポリエチレンとポリプロピレンに略５０％もしくはそれ以上の無機物を加えたものを材料とし、熔融混練りして型枠成型加工するものであって、平板状の表面部と該表面部の上下端縁から垂下した横壁そして左右端縁から垂下した縦壁とが連続した状態で成形され、更に表面部と横壁そして縦壁で形成された箱状内部には、上下方向略中央部に横補強リブが、左右方向には複数の縦補強リブが略均等間隔で前記表面部、横壁そして縦壁と一体的に成形され、且つ表面部と横壁及び縦壁或いは横補強リブそして縦補強リブ等によって複数の空洞部を形成したブロック本体に底板を取り付け固定したものである。この様に構成したことにより、前記空洞部に蓄熱材などを封入することが可能となり、用途に基づき簡単に改変することが出来る。【００１０】  請求項３記載の発明は、ブロック本体の空洞部に蓄熱材を封入したものである。この様に構成したことにより、敷石としてのブロック本体の温度変化を緩和させて、寒冷地に於いては凍結防止、温暖な地方では夏期に於ける異常高温を緩和させることが出来る。【００１１】  請求項４記載の発明は、表面部であって空洞部の略中央部に相当する部分に比較的大きな孔を貫設したものである。この様に構成したことにより、庭の芝生面内に歩廊として敷設しても大きな孔より芝が露出即ち生育可能となり、単なる歩廊でなく、見た目にも清々しさを感じる歩廊とすることが出来る。【００１２】  請求項５記載の発明は、表面部であって、空洞部に相当する部分に孔を貫設して前記空洞部に砂或いは保水材等の充填材を入れ、複数の小孔を貫設した底板でもって封入したものである。この様に構成したことにより、空洞部内の砂或いは保水材更に土中の水分が蒸発して蒸発潜熱が発生し、これにより敷石としてのブロック本体の温度が低下し、庭や道路等の敷設部分の異常高温を下げることが出来る。【００１３】  請求項６記載の発明は、表面部に比較的小さい孔を数多く貫設したものである。この様に構成したことにより、通水性ばかりでなく、見た目に美しく、歩行時の滑り止めとしても利用出来る。【００１４】  請求項７記載の発明は、横壁と縦壁が交わる４隅の表面部とは反対側の端部に突状部を設けたものである。この様に構成したことにより、より安定した敷設���態を確保そして維持することが出来る。
【発明の効果】
【００１５】  本発明は、以上説明したように構成されているので、以下に説明するような効果を奏する。【００１６】  本発明による敷石用化粧ブロックは、産業廃棄物としてのポリエチレンとポリプロピレンに略５０％もしくはそれ以上の無機物を加えたものを材料とし、熔融混練りして型枠成型加工するものであって、平板状の表面部と該表面部の上下端縁から垂下した横壁そして左右端縁から垂下した縦壁とが連続した状態で成形され、更に表面部と横壁そして縦壁で形成された箱状内部には、上下方向略中央部に横補強リブが、左右方向には複数の縦補強リブが略均等間隔で前記表面部、横壁そして縦壁と一体的に成形され、且つ表面部と横壁及び縦壁或いは横補強リブそして縦補強リブ等によって複数の空洞部を形成したので、簡単に成形加工することが可能で、材料節減を図りながら軽量ではあっても適度な重量を持たせた敷石即ち敷石用化粧ブロックを安価に提供することが出来る。【００１７】  更に、本発明による敷石用化粧ブロックは、産業廃棄物としてのポリエチレンとポリプロピレンに略５０％もしくはそれ以上の無機物を加えたものを材料とし、熔融混練りして型枠成型加工するものであって、平板状の表面部と該表面部の上下端縁から垂下した横壁そして左右端縁から垂下した縦壁とが連続した状態で成形され、更に表面部と横壁そして縦壁で形成された箱状内部には、上下方向略中央部に横補強リブが、左右方向には複数の縦補強リブが略均等間隔で前記表面部、横壁そして縦壁と一体的に成形され、且つ表面部と横壁及び縦壁或いは横補強リブそして縦補強リブ等によって複数の空洞部を形成したブロック本体に底板を取り付け固定したので、空洞部に蓄熱材などを封入することが可能となり、用途に基づき簡単に改変することが出来る。【００１８】  更に、本発明による敷石用化粧ブロックは、ブロック本体の空洞部に蓄熱材を封入したので、敷石としてのブロック本体の温度変化を緩和させて、寒冷地に於いては凍結防止、温暖な地方では夏期に於ける異常高温を緩和させることが出来る。【００１９】  更に、本発明による敷石用化粧ブロックは、表面部であって空洞部の略中央部に相当する部分に比較的大きな孔を貫設したので、庭の芝生面内に歩廊として敷設しても大きな孔より芝が露出即ち生育可能となり、単なる歩廊でなく、見た目にも清々しさを感じる歩廊とすることが出来る。【００２０】  更に、本発明による敷石用化粧ブロックは、表面部であって、空洞部に相当する部分に孔を貫設して前記空洞部に砂或いは保水材等の充填材を入れ、複数の小孔を貫設した底板でもって封入したので、空洞部内の砂或いは保水材更に土中の水分が蒸発して蒸発潜熱が発生し、これにより敷石としてのブロック本体の温度が低下し、庭や道路等の敷設部分の異常高温を下げることが出来る。【００２１】  更に、本発明による敷石用化粧ブロックは、表面部に比較的小さい孔を数多く貫設したので、通水性ばかりでなく、見た目に美しく、歩行時の滑り止めとしても利用出来る。【００２２】  更に、本発明による敷石用化粧ブロックは、横壁と縦壁が交わる４隅の表面部とは反対側の端部に突状部を設けたので、より安定した敷設状態を確保そして維持することが出来る。
【発明を実施するための最良の形態】
【００２３】  以下、本発明の実施の形態を実施例である図１〜図１０に基づき詳細に説明する。図１は、本発明による敷石用化粧ブロックの一実施例を示す平面図であり、図２は、図１に於けるＡ−Ａ断面図、図３は、本発明による敷石用化粧ブロックの他の実施例を示し、図１に於けるＡ−Ａ断面に相当する断面図である。図４は、本発明による敷石用化粧ブロックの更に他の実施例を示す平面図であり、図５は、図４に於けるＢ−Ｂ断面図、図６は、本発明による敷石用化粧ブロックの更に他の実施例を示し、図４に於けるＢ−Ｂ断面に相当する断面図であり、図７は、図６に於けるＤ矢視図である。図８は、本発明による敷石用化粧ブロックの更に他の実施例を示す平面図であり、図９は、本発明による敷石用化粧ブロックの更に他の実施例を示し、図１に於けるＡ−Ａ断面に相当する断面図で、図１０は、図９に於けるＣ−Ｃ断面図である。【００２４】  それでは、図１と図２を参照しながら本発明による敷石用化粧ブロックの基本的な構成を説明する。１はブロック本体で、産業廃棄物の中で特に排出量が多く、材質の仕分けが困難なポリエチレン（ＰＥ）とポリプロピレン（ＰＰ）を熔融し、更にセメントやフライアッシュそして燃焼灰分或いは砂等の無機物を５０％以上加えて混練りして型枠成型加工したものである。ブロック本体１は平板状の表面部２と該表面部２の図１に於いて上下端縁から垂下した横壁３，３そして左右端縁から垂下した縦壁４，４とが連続した状態で成形され、更に表面部２と横壁３，３そして縦壁４，４で形成された箱状内部には、図１に於ける上下方向略中央部に横補強リブ５が、左右方向には複数（本実施例では３本）の縦補強リブ６が略均等間隔で前記表面部２、横壁３，３そして縦壁４，４と一体的に成形されている。こうして形成されたブロック本体１には表面部２と横壁３，３及び縦壁４，４或いは横補強リブ５そして縦補強リブ６等によって囲まれた複数（実施例では８個）の空洞部７が必然的に形成されることになる。空洞部７を形成することによって、材料節減が図れ、加えて無機物を略５０％もしくはそれ以上混入させることで適度の重量感を持たせることが可能となる。尚、主材料であるポリエチレン（ＰＥ）とポリプロピレン（ＰＰ）はバージン材であっても良いのは勿論で、その混合割合も特に限定するものではない。又、主材料に対する無機物の割合は機械的強度や重量の兼ね合いで総体的には５０％以上とするのが望ましいが、使用する無機物の種類やその割合によっては５０％前後でも良く、或いは５０％以上例えば５０％から７０％前後が好適である場合もある。従って主材料に対する無機物の割合は使用する材料とその割合、且つ機械的強度や重量の兼ね合いを考慮しながら決定する必要があり、必ずしも限定されるものではない。更に重要なことは主材料であるポリエチレン（ＰＥ）とポリプロピレン（ＰＰ）即ち高分子材料に５０％以上の無機物を混入させた状態でもって敷石として安定した機械的強度を持たせて成型加工することである。通常、前記材料の割合では安定した機械的強度を持たせて加工することは非常に難しく事実上不可能に近く、その為本発明に於いては特殊な混合方法そして成形方法を採用することを付言して置く。４��は、ブロック本体１と同じ材料で成形された平板状の底板である。該底板４０はブロック本体１底部に取り付け固定されるのであるが、その方法は接着剤或いは加熱プレス等如何なる方法であっても良い。更に実施例として底板４０を併せて図示したが、底板４０は絶対に必要と云うものではなく、ブロック本体１をそのまま敷石用化粧ブロックとしても使用可能である。底板は、後述する本発明による敷石用化粧ブロックの実施例即ちバリエーションによって必要となるので、念のため付言する。【００２５】  続いて、図８により、本発明による他の実施例について説明する。本実施例は前述した実施例と同様のブロック本体１を使用し、該ブロック本体１の空洞部７に蓄熱材８を入れ、底板４０でもって封入したものである。【００２６】  図４及び図５は、表面部１２と該表面部１２の上下端縁から垂下した横壁１３，１３そして左右端縁から垂下した縦壁１４，１４とが連続した状態で成形され、内部に於いては横補強リブ１５と縦補強リブ１６とで区画された複数の空洞部１７を有するブロック本体１１を示し、前記表面部１２に比較的大きな孔１９を貫設した構成を示したものであって、該孔１９を前記空洞部１７の略中央部（平面視）に設けたものである。【００２７】  次に、図６、図７を参照しながら、その構成を説明する。本実施例は、前述したブロック本体１１即ち表面部１２に比較的大きな複数の孔１９を有したブロック本体１１を使用し、該ブロック本体１１の空洞部１７に砂或いは樹脂等の保水材からなる充填材１８を入れ、底板５０でもって封入したものである。底板５０には複数の小孔５１が貫設されている。この小孔５１は、充填材１８が必要以上にブロック本体１１からこぼれ出ないようにすることと通水性を考慮したものである。従って小孔５１の径は極小さなものが有利であるが、封入する充填材によっては必ずしもそうではなく、かなり大きなものであっても支障のない場合もある。尚、小孔５１は丸孔として示したが、丸孔に限定するものではないことを付言しておく。【００２８】  図８は、表面部に比較的小さい孔を数多く貫設したブロック本体を使用した実施例を示すもので、以下、その細部について説明する。ブロック本体２１は、基本的には前述したブロック本体１或いはブロック本体１１と同様で、異なるところは、表面部２２に数多くの比較的小さな孔２９が貫設されている部分である。該孔２９は通水性に加えて模様を考慮したものであるので、ランダムにただ孔を開ければよいということではなく、見て美しいものとする必要がある。図８に示すものは、各空洞部２７の上面に相当する表面部２２にそれぞれ５個の孔２９を規則正しく配列させて貫設している。これによって通水性ばかりでなく、見た目に美しく、広い意味では歩行時の滑り止めにも有利である。尚、図８では孔２９を丸孔として示したが、四角であっても三角であっても良く、その数に於いても特に限定するものではない。更に付言すれば、本実施例に於いては、底板を使用せずにブロック本体２１をそのまま敷石用化粧ブロックとして使用しても良いし、蓄熱材或いは充填材を空洞部２７に入れて、底板（例えば底板４０、底板５０）を使用し封入するようにして使用しても良い。【００２９】  それでは次に、図９と図１０を参照しながら更に他の実施例について説明する。ブロック本体３１の構成は、基本的には前述したブロック本体１と同様であるが、各コーナー部即ち横壁３３と縦壁３４が交わる４隅の表面部３２とは反対側の端部に突状部３９を設けた点で異なる。ブロック本体３１は、そのまま敷石用化粧ブロックとして使用されるもので、敷設に於いては突状部３９を土の中に没入させて行うものである。尚、表面部３２に比較的大きな孔や比較的小さな孔を前述した実施例のように形成することも可能である。
【図面の簡単な説明】
【００３０】
【図１】  本発明による敷石用化粧ブロックの一実施例を示す平面図である。
【図２】  図１に於けるＡ−Ａ断面図である。
【図３】  本発明による敷石用化粧ブロックの他の実施例を示し、図１に於けるＡ−Ａ断面に相当する断面図である。
【図４】  本発明による敷石用化粧ブロックの更に他の実施例を示す平面図である。
【図５】  図４に於けるＢ−Ｂ断面図である。
【図６】  本発明による敷石用化粧ブロックの更に他の実施例を示し、図４に於けるＢ−Ｂ断面に相当する断面図である。
【図７】  図６に於けるＤ矢視図である。
【図８】  本発明による敷石用化粧ブロックの更に他の実施例を示す平面図である。
【図９】  本発明による敷石用化粧ブロックの更に他の実施例を示し、図１に於けるＡ−Ａ断面に相当する断面図である。
【図１０】  図９に於けるＣ−Ｃ断面図である。
【図１１】  従来の敷石の全体斜視図である。
【符号の説明】
【００３１】    １、１１、２１、３１  ブロック本体
２，１２，２２、３２  表面部
３、１３、２３、３３  横壁
４、１４、２４，３４  縦壁
５、１５、２５  横補強リブ
６、１６，２６、３６  縦補強リブ
７、１７、２７、３７  空洞部
８  蓄熱材
１８  充填材
１９、２９  孔
３９  突状部
４０、５０  底板
５１  小孔
６０  敷石
６１  透水孔
【図１】
2005068971.tif 000003
【図２】
2005068971.tif 000004
【図３】
2005068971.tif 000005
【図４】
2005068971.tif 000006
【図５】
2005068971.tif 000007
【図６】
2005068971.tif 000008
【図７】
2005068971.tif 000009
【図８】
2005068971.tif 000010
【図９】
2005068971.tif 000011
【図１０】
2005068971.tif 000012
【図１１】
2005068971.tif 000013